(57)【要約】　　　（修正有）【課題】光ファイバーによる照射ができ，各種の爪及び耳の着脱式構造の掃除用具を提供する。【解決手段】イ、着脱式での交換性のもった甘皮カット・甘皮押し及び両面ヤスリ付き・爪のゴミ落し・綿棒・耳掻き用掃除用具とするものであり、これらの併せもったことで、便利性また不快感が解消されるものである。ロ、光ファイバーより照射される事に、白色発光及び、無色の発光色を生じさせることで、肉眼の認識度及び、頭痛、目が眩むような欠点がなくなり、肉眼に対して影響の与えない光明で優しい照明を設けた事である。【選択図】図１
2004113741.tif 000002
【特許請求の範囲】
【請求項１】
イ、（２０）挿入用ピングリップ前方部に（１２）甘皮カットを装着固定し、後部には（２１）着脱式挿入先端方向に、角アールを用いた、挿入及び着脱式となる（１２）甘皮カットを設ける。
ロ、（２０）挿入用ピングリップ前方部に（１４）甘皮押し及び両面ヤスリを装着固定し、後部には（２１）着脱式挿入先端方向に角アールを用いた、挿入および着脱式となる（１４）甘皮押し及び両面ヤスリを設ける。
ハ、（２０）挿入用ピングリップ前方部に（１５）爪のゴミ落しを装着固定し、後部には（２１）着脱式挿入先端方向に、角アールを用いた挿入および着脱式となる（１５）爪のゴミ落しを設ける。
ニ、（２０）挿入用ピングリップ前方部に（１６）綿棒を装着固定し、後部には（２１）着脱式挿入先端方向に角アールを用いた挿入および着脱式となる（１６）綿棒を設ける。
ホ、（２０）挿入用ピングリップ前方部に（１７）耳掻きを装着固定し、後部には（２１）着脱式挿入先端方向に、角アールを用いた挿入及び着脱式となる（１７）耳掻きを設ける。
ヘ、（３）ファイバー６ケ所を用意し、（２）ファイバーラインホルダーに組み付け、これを（１）本体ボディーの前方内側に装着、圧入固定したものを設ける。
ト、（１）本体ボディーの中央内側に（６）（＋）電極板、（７）（−）電極板（８）小電球、一般の（９）電池を装着固定したものを設ける。
チ、（４）スイッチを用意し、（１）本体ボディーの後方内側から（４）スイッチ、頭部ボタンを突き出し、（５）スイッチホルダーを挿入し、圧入固定したものを設ける。
リ、（１）本体ボディーの前後方向部には先端破傷保護、ならびに保管用として着脱式可能とする（１０）キャップを設ける。
以上の構成からなる　爪および耳掻き用着脱式掃除用具ならびにファイバー光の照射。
【発明の詳細な説明】
【０００１】
【発明に属する技術分野】
この発明は、一般に使用されている爪及び、耳の掃除用具で従来より単品商品であった、本件はこれらを着脱式とする種類とし、甘皮カット・甘皮押し及び両面ヤスリ付き・爪のゴミ落し・綿棒・耳掻き用として設けた事と、電球光による、光ファイバーを通して試写体を照射する事、また着脱式とする種類を保護する着脱式用キャツプを設けたものでこれは、爪および耳掻き用着脱式掃除用具ならびにファイバー光の照射に関するものである。
【０００２】
【従来の技術】
従来より、爪および耳掻き用着脱式掃除用具ファイバー光の照射の商品はなく、従来からあるものは、それぞれの単品商品、また爪切りとヤスリ付き・甘皮カットと甘皮押しが付いているのみしかなかった。
光の照射に付いては、青色の発行色、黄色の発光色の二種類がある、また商品に夜光塗料の塗布したものがあった、従来の青色の発行色及び、黄色の発光色は健康な肉眼には刺激が強過ぎるために、両肉眼が一時的に眩んで適用しない。更に、従来の青色の発行色及び、黄色の発光色の光幅が広角過ぎているため非常に疲れて永く試写体が看えない。
【０００３】
【発明が解決しようとする課題】
イ、従来より、一般に使用されてきた爪及び耳掻き掃除用具は、単品商品しかなかったため、それぞれの単品商品を購入していた、またこれによる紛失・お忘れ・不揃いがあり、不便差を感じていた事は事実であった、携帯用にしようする時には、バラバラに本数も多くなり、化粧用バックに入りずらく、エチケット携帯商品としては適用しなかった。
よって、これらを解決するために掃除用具である各種個々のパーツを併せもった、着脱式交換性を取り入れたものである。
ロ、従来よりあるものは、爪切りとヤスリ付きまた、甘皮カットと甘皮押しが付いているのが現状であり、着脱式交換性はない、また携帯用としてもなかった、本件は着脱式交換性とする甘皮カット・甘皮押し及び両面ヤスリ付き・爪のゴミ落し・綿棒・耳掻き用として設けた事で、不便差を解決出来るものである。
ハ、従来よりある耳掃除用具での光による照明は、暗いところを照らすために照明の効果を利用している、青色の発行色、黄色の発光色の二種類があり更に、商品に夜光塗料の塗布したものがあります。
この中で、従来よりある青色の発行色及び、黄色の発光色は健康である肉眼には、刺激が強過ぎるので、両肉眼が一時的に眩み、肉眼の認識度及び認知度等が、ぼやけてくるために不適用となる。
更に、従来の青色の発行色及び、黄色の発光色の光幅が広角過ぎているため、非常に疲れて永く試写体が看えない、これは発光色其のものが生じてくる原因であり、これらの欠点を解決するためには、発光となる光幅を狭くする事と、照明による光色を試写体色と同色に近い発光色を用いる事が自然で、本発明はこれらの不具合を解決するため、一般の白色系及び無色であって、かつ小型化を図るために小電球を用意し、電球光を生じさせ、光ファイバーに転射させた事で、光幅の広角を抑えた事また光色が自然色になり肉眼に優しい光明が設けられたことである。
ニ、甘皮カット・甘皮押し及び両面ヤスリ付き・爪のゴミ落し・綿棒・耳掻きを設けてあるものに、保護用カバーとして、また保管用として機能を果たす着脱用のキャップを設けたものである。
以上本発明は、これらの欠点を解決するために発明されたものである。
【０００４】
【課題を解決するための手段】
イ、
【図２】に示すよう（２１）着脱挿入先端方向と（２０）挿入用ピングリップの併せもった形状と、其の合せ先端に（１２）甘皮カットの後方を、装着固定したものを設けた種類となる（１２）甘皮カットとなる。
ロ、
【図２】に示すよう（２１）着脱挿入先端方向と（２０）挿入用ピングリップの併せもった形状と、其の合せ先端に（１４）甘皮押し及び両面ヤスリ付きの後方を、装着固定したものを設けた種類となる（１４）甘皮押し及び両面ヤスリ付きとなる。
ハ、
【図２】に示すよう（２１）着脱挿入先端方向と（２０）挿入用ピングリップの併せもった形状と、其の合せ先端に（１５）爪のゴミ落しの後方を、装着固定したものを設けた種類となる（１５）爪のゴミ落しとなる。
ニ、
【図２】に示すよう（２１）着脱挿入先端方向と（２０）挿入用ピングリップの併せもった形状と、其の合せ先端に（１６）綿棒の後方を、装着固定したものを設けた種類となる（１６）綿棒となる。
ホ、
【図２】に示すよう（２１）着脱挿入先端方向と（２０）挿入用ピングリップの併せもった形状と、其の合せ先端に（１７）耳掻きの後方を、装着固定したものを設けた種類となる（１７）耳掻きとなる。
ヘ、
【図３】及び【図４】に示すよう、（１０）キャップを設け、（１）本体ボディーの左右先端に着脱式する装着可能とした（１０）キャップである。
ト、
【図５】に示すよう（６）（＋）電極板、（７）（−）電極板、（９）電池、（８）小電球を設け、これを（１）本体ボディー内部に装着する。
チ、
【図８】に示すよう（２）ファイバーラインホルダーを用意し、組み付けを
【図１１】に示すもので、この周囲に
【図１２】の（１９）照射光穴・６ケ所それぞれにの中に（３）ファイバーライン・６ケ所を組み付け装着したものである。
リ、
【図９】に示すよう（５）スイッチホルダー及び、
【図１０】の（４）スイッチを組み付け、
【図５】の（１）本体ボディー右側内部に装着する。
ヌ、組み付けた姿図を
【図３２】に示した着脱式とする（１２）甘皮カットである。
ル、組み付けた姿図を
【図３３】に示した着脱式とする（１４）甘皮押し及び両面ヤスリ付きである。
オ、組み付けた姿図を
【図３４】に示した着脱式とする（１５）爪のゴミ落し。
ワ、組み付けた姿図を
【図３５】に示した着脱式とする（１６）綿棒である。
カ、組み付けた姿図を
【図３６】に示した着脱式とする（１７）耳掻きである。以上からなる爪および耳掻き用着脱式掃除用具ならびにファイバー光の照射。
【０００５】
【発明の実施の形態】
以下、本発明の実施の形態について説明する。
イ、
【図２】に示すよう（２１）着脱挿入先端方向と（２０）挿入用ピングリップの併せもった一体形状を設け（１２）甘皮カットに金属を使用し甘皮カット部に甘皮カットし易い切り刃面を設けるもので、其のカット面の反対側に（２０）挿入用ピングリップの中央内部に、挿入出来るよう小さくした形状にしたものを圧入し、組み付けるものである。
ロ、
【図２】に示すよう（２１）着脱挿入先端方向と（２０）挿入用ピングリップの併せもった一体形状を設け、着脱使用部品として設けた、（１４）甘皮カット押し及びに両面ヤスリ付き、（１５）爪のゴミ落し、（１６）綿棒、（１７）耳掻きであり、この反対側には（２０）挿入用ピングリップの中に入るよう小さくした形状にしたものを圧入し、組み付けるものである。
ハ、
【図８】に示すよう（２）ファイバーラインホルダーを用意し組み付けを
【図１１】に示すもので、Ｃ−Ｃ′断面図を
【図１２】のに示すよう（１９）照射光穴・６ケ所を設けたそれぞれの穴の中に（３）ファイバーライン・６ケ所を挿入して、組み付け装着したもの
【図５】の（１）本体ボディー左先端内部へ装着し圧入するものである。
ニ、
【図９】に示すよう（５）スイッチホルダーを、
【図１０】の（４）スイッチを組み付け、固定するもので（５）スイッチホルダーは絶縁を守護する材質を使用するものでこれを、
【図５】の（１）本体ボディー右側先端内部に装着し、組み付けるものである。
ホ、
【図５】に示すよう（６）（＋）電極板、（７）（−）電極板、（９）電池、（８）小電球を設けこれを（１）本体ボディー内部に装着組み付け挿入するもので尚、（６）（＋）電極板、（７）（−）電極板に使用するものは、リード線及び銅版、リンセイ銅板等を用いこの板厚また直径分に値する数値分を、（１）本体ボディー内部に逃し加工を設ける事である。
ヘ、
【図３】及び【図４】に示すよう、（１０）キャップを設け、（１）本体ボディーの左右先端内部に、着脱可能とした（１０）キャップである。
ト、着脱式とする組み立てた姿図を
【図３２】に示す（１２）甘皮カット、
【図３３】に示す（１４）甘皮押し及び両面ヤスリ付き
【図３４】に示す（１５）爪のゴミ落し、
【図３５】に示す（１６）綿棒
【図３６】に示す（１７）耳掻きであり、それぞれを描いたものである。
チ、
【図１】は本発明である（１）本体ボディー全容を組み付けた姿図であり、前方にある（１８）着脱挿入口より、
【図２】に示すよう（２１）着脱挿入先端方向より各種である（１２）甘皮カット・（１４）甘皮押し及び両面ヤスリ付き・（１５）爪のゴミ落し・（１６）綿棒・（１７）耳掻きは、それぞれ個々に使用する時に（１２）着脱挿入先端方向より、挿入することで使用出来るものである。
リ、本発明は、以上のような構造でこれを使用する時は
【図１】に示すよう（２０）挿入用ピングリップ位置を、親指とひとさし指でこれをつまみ前方にある（１８）着脱挿入口の中に留まるまで押し込み、その後に図中の（４）スイッチの頭部を一度押すと、接点スイッチが入り、（３）ファイバーライン・６ケ所の外側先端より小電球光より優しい照射が生じるもので、再度（４）スイッチの頭部を一度押すと、接点スイッチが切れるようになっている。
【０００６】
【発明の効果】
イ、各種個々の（１２）甘皮カット・（１４）甘皮押し及び両面ヤスリ付き・（１５）爪のゴミ落し・（１６）綿棒・（１７）耳掻きを、併せもつ着脱式での交換性を含んだもので新規性のもった解決策である。
ロ、従来は、一般の爪及び耳掻きとする掃除用具は単品商品しかなかったため各種の商品を紛失したり、収納するものもなかったまた、携帯化粧バックに入れては見たものの不ぞろいが生じてきて不便差を感じていたが、本発明は、コンパクトで携帯用として見合う化粧用バックに入ることと、不揃いについては、１セットの組み合わせ収納作用している事で、少なくなるので不便差が解消された。
ハ、本発明は、携帯可能とする化粧用バックや小物入れに入ることで、従来より携帯用に持参する機会が増え、利用度が多いまた、種類を甘皮カット甘皮押し及び両面ヤスリ付き、爪のゴミ落し、綿棒、耳掻き用着脱式を設けたことは、新規性とする解決策である。
ニ、従来の青色の発光色及び、黄色の発光色を観ていくと肉眼の認識度等がぼやけていた、青色の発光色及び、黄色の発光色から本発明による、照射した時の肉眼の認識度等また、頭痛も生じていたが、光ファイバーラインより照射される発光幅を狭くしたこと、発光量の明るさを減少することにより、肉眼にも優しくなるまた、光ファイバーラインを複数設けることで試写体への照射範囲角度が、広角になることで従来より視覚が良くなり頭痛もなくなり、発光異色がなくなり寄り一層良く成っている。
ホ、本発明の着脱式種類である、甘皮押し及び両面ヤスリ付きは、ヤスリの取付方法を貼り付け自由にしたものであり、貼り付ける台の凹凸形状を選ばず、粘着式で貼れるメリットがあり、ヤスリの目の荒差を設け、荒め・中目・細めと交換が出来る。
ヘ、保護カバー用として、着脱式よりキャツプを設けたこと、また着脱式用種類でもある甘皮カット・甘皮押し及び両面ヤスリ付き・爪のゴミ落し・綿棒・耳掻きを保護するために設けたもので、部品の破損及び損傷から保護しているものである。
【図面の簡単な説明】
【図　１】本発明の本体ボディーの一般断面図を描く
【図　２】本発明の着脱式各種のパーツである一般断面図を描く
【図　３】本発明のキャップの右側装着位置を示す一般断面図を描く
【図　４】本発明のキャップの左側装着位置を示す一般断面図を描く
【図　５】本発明の全体である一般断面図を描く
【図　６】本発明の全体である一般断面図を描く
【図　７】本発明の着脱用のキャップである一般断面図を描く
【図　８】本発明のファイバーラインホルダーの一般断面図を描く
【図　９】本発明のスイッチホルダーである上面図を描く
【図１０】本発明のスイッチとスイッチホルダー取付状態一般断面図を描く
【図１１】本発明のファイバーラインホルダー組付状態の一般断面図を描く
【図１２】本発明のファイバーラインホルダー組付状態の左側面図を描く
【図１３】本発明の甘皮カットである上面図を描く
【図１４】本発明の甘皮カットである正面図を描く
【図１５】本発明の甘皮カットである左側面図を描く
【図１６】本発明の甘皮カット装着状態の正面断面図を描く
【図１７】本発明の甘皮カット装着状態の上面断面図を描く
【図１８】本発明の甘皮押し及び両面ヤスリ付きである上面図を描く
【図１９】本発明の甘皮押し及び両面ヤスリ付きである正面図を描く
【図２０】本発明の甘皮押し及び両面ヤスリ付き装着状態の上面断面図を描く
【図２１】本発明の甘皮押し及び両面ヤスリ付き装着状態の左側面図を描く
【図２２】本発明の爪のゴミ落しである正面図を描く
【図２３】本発明の爪のゴミ落しである上面図を描く
【図２４】本発明の爪のゴミ落し装着状態の上面断面図を描く
【図２５】本発明の爪のゴミ落し装着状態の正面断面図を描く
【図２６】本発明の綿棒である正面図を描く
【図２７】本発明の綿棒装着状態の正面断面図を描く
【図２８】本発明の耳掻きである上面図を描く
【図２９】本発明の耳掻きである正面図を描く
【図３０】本発明の耳掻き装着状態の上面断面図を描く
【図３１】本発明の耳掻き装着状態の正面断面図を描く
【図３２】本発明の甘皮カット組付状態である一般断面図を描く
【図３３】本発明の甘皮押し及び両面ヤスリ付き組付状態である一般断面図を描く
【図３４】本発明の爪のゴミ落し組付状態である一般断面図を描く
【図３５】本発明の綿棒組付状態である一般断面図を描く
【図３６】本発明の耳掻き組付状態である一般断面図を描く
【符号の説明】
１．本体ボディー
２．ファイバーラインホルダー
３．ファイバーライン−６ケ所
４．スイッチ
５．スイッチホルダー
６．（＋）電極板
７．（−）電極板
８．小電球
９．電池
１０．キャップ
１１．挿入口ゴムリング
１２．甘皮カット
１３．着脱用ピン
１４．甘皮押し及び両面ヤスリ付き
１５．爪のゴミ落し
１６．綿棒
１７．耳掻き
１８．着脱挿入口
１９．照射光穴・６ケ所
２０．挿入用ピングリップ
２１．着脱挿入先端方向
２２．グリップ位置
２３．挿入時エアー抜き
【図１】
2004113741.tif 000003
【図２】
2004113741.tif 000004
【図３】
2004113741.tif 000005
【図４】
2004113741.tif 000006
【図５】
2004113741.tif 000007
【図６】
2004113741.tif 000008
【図７】
2004113741.tif 000009
【図８】
2004113741.tif 000010
【図９】
2004113741.tif 000011
【図１０】
2004113741.tif 000012
【図１１】
2004113741.tif 000013
【図１２】
2004113741.tif 000014
【図１３】
2004113741.tif 000015
【図１４】
2004113741.tif 000016
【図１５】
2004113741.tif 000017
【図１６】
2004113741.tif 000018
【図１７】
2004113741.tif 000019
【図１８】
2004113741.tif 000020
【図１９】
2004113741.tif 000021
【図２０】
2004113741.tif 000022
【図２１】
2004113741.tif 000023
【図２２】
2004113741.tif 000024
【図２３】
2004113741.tif 000025
【図２４】
2004113741.tif 000026
【図２５】
2004113741.tif 000027
【図２６】
2004113741.tif 000028
【図２７】
2004113741.tif 000029
【図２８】
2004113741.tif 000030
【図２９】
2004113741.tif 000031
【図３０】
2004113741.tif 000032
【図３１】
2004113741.tif 000033
【図３２】
2004113741.tif 000034
【図３３】
2004113741.tif 000035
【図３４】
2004113741.tif 000036
【図３５】
2004113741.tif 000037
【図３６】
2004113741.tif 000038